(57)【要約】【課題】  ＩＣタグの脱落、又は不正に取り外されることを防止しつつ、製造コストを低減させたホルダを提供する。【解決手段】  タグ収容部は、管理対象物に取り付けられたときに管理対象物の表面に対向する第１側壁部と、管理対象物に取り付けられたときに第１側壁部を介して管理対象物の表面に対向し、第１側壁部と共同して開口に繋がる空間を画定する第２側壁部とを有し、第１側壁部及び第１側壁部に対向する閉塞部の端縁のいずれか一方は、他方に向けて突出する第１突出部を有し、他方は、第１突出部を嵌合可能な第１嵌合部を有し、第２側壁部及び第２側壁部に当接する閉塞部の端縁のいずれか一方は、他方に向けて突出する第２突出部を有し、他方は第２突出部を嵌合可能な第２嵌合部を有し、第１側壁部及び第２側壁部の少なくとも一方は、変形可能に構成される。【選択図】  図１
2014119885.tif 000002
【特許請求の範囲】
【請求項１】
管理対象物に管理用のＩＣタグを取り付けるホルダであって、ＩＣタグを収容可能な凹部を有するタグ収容部とタグ収容部の端縁のそれぞれから延出されて、管理対象物に巻き回しされた上で互いに連結される一対の延出部とを有する本体と、凹部の少なくとも一部を閉塞可能な閉塞部を有する蓋体とを備え、タグ収容部は、管理対象物に取り付けられたときに管理対象物の表面に対向する第１側壁部と、間隔を開けて管理対象物の表面に対向し、第１側壁部と共同して凹部を画定する第２側壁部とを有し、第１側壁部及び第１側壁部に対向する閉塞部の端縁のいずれか一方は、他方に向けて突出する第１突出部を有し、他方は、第１突出部を嵌合可能な第１嵌合部を有し、第２側壁部及び第２側壁部に当接する閉塞部の端縁のいずれか一方は、他方に向けて突出する第２突出部を有し、他方は第２突出部を嵌合可能な第２嵌合部を有し、第１側壁部及び第２側壁部の少なくとも一方は、変形可能に構成されることを特徴とするホルダ。
【請求項２】
第１側壁部は、管理対象物に巻き付けられて、管理対象物の表面に当接することで変形することを特徴とする請求項１に記載のホルダ。
【請求項３】
第１側壁部及び第２側壁部は、同じ曲率中心でそれぞれ湾曲して形成されることを特徴とする請求項１又は２に記載のホルダ。
【発明の詳細な説明】
【技術分野】
【０００１】
本発明は、管理対象物に管理用のＩＣタグを取り付けるホルダに関する。
【背景技術】
【０００２】
従来、市場に流通する物品を管理対象物として、管理用のＩＣタグ（インレット）を取り付けることが行われている。管理用のＩＣタグは、製造場所、製造番号、及び製造日時等の情報を格納しており、外部からの読み取りに応じてこれらの情報を提供することで、管理対象となる物品の管理を容易にしている。
【０００３】
例えば、管理対象物として、酸素ガス、窒素ガス、炭酸ガス、アセチレンガス、水素ガス、又はプロパンガス等のガスが充填されたガスボンベがある。これらのガスボンベには、高圧ガス保安法等の法規制により、容器検査等を定期的に行うことが求められている。このようなガスボンベに対しては、内容物の種類と容積、耐圧、製造年月日、製造者、製造番号等のガスボンベに関する各種情報を管理しておくことが要求される。
【０００４】
そして、ガスボンベにＩＣタグを取り付けるべく、ＩＣタグを収容して、ガスボンベのネック部分に取り付けられるホルダ（ＲＦタグ）が知られている（例えば、特許文献１）。このホルダは、ＩＣタグを収容するタグ収容部と、タグ収容部から延出されてガスボンベに巻き回しされる延出部と、タグ収容部に取り付けられる蓋体とを備える。タグ収容部には、ＩＣタグを収容可能な凹部が形成されている。ＩＣタグが凹部に収容された後、凹部の開口が蓋体により閉塞される。そして、タグ収容部及び蓋体が溶接される。延出部がガスボンベのネックの外周に装着されることで、ホルダはガスボンベに取り付けられる。
【先行技術文献】
【特許文献】
【０００５】
【特許文献１】特開２０１１−２２６５１５号公報
【発明の概要】
【発明が解決しようとする課題】
【０００６】
特許文献１におけるホルダでは、上記のように、凹部の開口が蓋体により閉塞された状態で、タグ収容部及び凹部が溶接される。これにより、ＩＣタグのタグ収容部から脱落又は不正に取り外されることが防止される。ところで、ＩＣタグの不具合（読み取り不良等）や定期交換によりタグ収容部に収容されたＩＣタグの交換が必要になることがある。しかし、特許文献１におけるホルダでは、タグ収容部の開口が蓋体の溶接により閉塞されているため、ＩＣタグの交換は、蓋体を破壊した後でなければできなかった。また、ホルダの製造において、上記ＩＣタグの脱落、又は不正に取り外されることを防止しつつ、製造コストを低減することが望ましい。
【０００７】
本発明は、斯かる事情に鑑み、ＩＣタグの脱落、又は不正に取り外されることを防止しつつ、製造コストを低減させたホルダを提供することを課題とする。
【課題を解決するための手段】
【０００８】
本発明に係るホルダは、管理対象物に管理用のＩＣタグを取り付けるホルダであって、ＩＣタグを収容可能な凹部を有するタグ収容部とタグ収容部の端縁のそれぞれから延出されて、管理対象物に巻き回しされた上で互いに連結される一対の延出部とを有する本体と、凹部の少なくとも一部を閉塞可能な閉塞部を有する蓋体とを備え、タグ収容部は、管理対象物に取り付けられたときに管理対象物の表面に対向する第１側壁部と、間隔を開けて管理対象物の表面に対向し、第１側壁部と共同して凹部を画定する第２側壁部とを有し、第１側壁部及び第１側壁部に対向する閉塞部の端縁のいずれか一方は、他方に向けて突出する第１突出部を有し、他方は、第１突出部を嵌合可能な第１嵌合部を有し、第２側壁部及び第２側壁部に当接する閉塞部の端縁のいずれか一方は、他方に向けて突出する第２突出部を有し、他方は第２突出部を嵌合可能な第２嵌合部を有し、第１側壁部及び第２側壁部の少なくとも一方は、変形可能に構成されることを特徴とする。
【０００９】
かかる構成によれば、タグ収容部は、凹部に管理対象物の管理用のＩＣタグを収容する。蓋体は、タグ収容部からのＩＣタグの脱落、又は不正な取り外し等を防止すべく、凹部の開口に取り付けられる。このとき、第１側壁部に当接する蓋体の端縁又は第１側壁部の一方に設けられた第１突出部と、他方に設けられた第２嵌合部とが嵌合する。また、第２側壁部に当接する蓋体の端縁又は第２側壁部の一方に設けられた第１突出部と、他方に設けられた第２嵌合部とが嵌合する。これにより、蓋体は、第１側壁部及び第２側壁部に連結された状態、すなわち、凹部の開口の少なくとも一部を閉塞する状態に維持される。
【００１０】
一対の延出部のそれぞれは、管理対象物に巻き回しされて互いに連結されることで、ＩＣタグを収容したタグ収容部を管理対象物に取り付ける。このとき、一対の延出部のそれぞれは、タグ収容部の端部を巻き回し方向に引っ張る。第１側壁部及び第２側壁部の少なくとも一方は、引っ張りに応じて変形する。第１側壁部及び第２側壁部の少なくとも一方が変形することで、タグ収容部及び蓋体の干渉度合い（当り具合）が高まる。これにより、第１突出部は、第１嵌合部から抜けにくくなり、第１突出部及び第１嵌合部の嵌合は、解除されにくくなる。また、第２突出部は、第２嵌合部から抜けにくくなり、第２突出部及び第２嵌合部の嵌合は、解除されにくくなる。これにより、管理対象物に取り付けられたホルダから、蓋体が容易に取り外されることを防止することができる。ひいては、タグ収容部に収容されているＩＣタグが脱落、又は不正に取り外されることをより良く防止することができる。一方で、ホルダが管理対象部から取り外された状態において、第１突出部及び第２嵌合部による嵌合と、第２突出部及び第２嵌合部による嵌合とが解除されることで、蓋体は、本体から取り外される。これにより、タグ収容部からＩＣタグを取り外して交換することができる。また、タグ収容部及び蓋体の溶接を必要としないことで、ホルダの製造コストを低減することができる。
【００１１】
また、本発明に係るホルダにおいて、第１側壁部は、管理対象物に巻き付けられて、管理対象物の表面に当接することで変形してもよい。
【００１２】
かかる構成によれば、一対の延出部のそれぞれが管理対象物に巻き回しされて互いに連結することで、第１側壁部は、管理対象物に巻き付けられて、管理対象物の表面に当接する。第１側壁部は、管理対象物の表面に当接することで変形する。これにより、タグ収容部及び蓋体の干渉度合い（当り具合）が高まる。したがって、第１突出部は、第１嵌合部から抜けにくくなり、第１突出部及び第１嵌合部の嵌合は、解除されにくくなる。また、第２突出部は、第２嵌合部から抜けにくくなり、第２突出部及び第２嵌合部の嵌合は、解除されにくくなる。ゆえに、管理対象物に取り付けられたホルダから、蓋体が容易に取りはずされることをさらに防止することができる。ひいては、タグ収容部に収容されているＩＣタグが脱落、又は不正に取り外されることをより良く防止することができる。一方で、ホルダが管理対象物から取り外された状態では、蓋体は、第１側壁部及び第２側壁部から取り外し可能となり、タグ収容部からＩＣタグを取り外して交換することができる。
【００１３】
また、本発明に係るホルダにおいて、第１側壁部及び第２側壁部は、同じ曲率中心でそれぞれ湾曲して形成されてもよい。
【００１４】
かかる構成によれば、一対の延出部が管理対象物に巻き回しされて連結されると、第１側壁部及び第２側壁部は、同じ曲率中心でそれぞれ湾曲していることから、より湾曲する方向に変形する。これにより、タグ収容部及び蓋体の干渉度合い（当り具合）が高まる。したがって、第１突出部は、第１嵌合部から抜けにくくなり、第１突出部及び第１嵌合部の嵌合は、解除されにくくなる。また、第２突出部は、第２嵌合部から抜けにくくなり、第２突出部及び第２嵌合部の嵌合は、解除されにくくなる。ゆえに、管理対象物に取り付けられたホルダから、蓋体が容易に取り外されることをさらに防止することができる。ひいては、タグ収容部に収容されているＩＣタグが脱落、又は不正に取り外されることをより良く防止することができる。一方で、ホルダが管理対象物から取り外された状態では、蓋体は、第１側壁部及び第２側壁部から取り外し可能となり、タグ収容部からＩＣタグを取り外して交換することができる。
【発明の効果】
【００１５】
以上の如く、本発明に係るホルダによれば、ＩＣタグの脱落、又は不正に取り外されることを防止しつつ、製造コストを低減できるというすぐれた効果を奏する。
【図面の簡単な説明】
【００１６】
【図１】本発明の一実施形態に係るホルダの一方向斜視図を示す。
【図２】同実施形態に係るホルダの他方向斜視図を示す。
【図３】同実施形態に係るホルダの正面図を示す。
【図４】図３に係るタグ収容部のＡ−Ａ断面図を示す。
【図５】図３に係るタグ収容部のＢ−Ｂ断面図を示す。
【図６】同実施形態に係る蓋体の正面図を示す。
【図７】図６に係る蓋体のＣ−Ｃ断面図を示す。
【図８】図６に係る蓋体のＤ−Ｄ断面図を示す。
【図９】図３に係る蓋体が取り付けられたタグ収容部のＢ−Ｂ断面図を示す。
【図１０】同実施形態に係る管理対象物に取り付けられたホルダの正面図を示し、図１０（ａ）は、径のより大きい管理対象物に取り付けられたホルダの正面図を示し、図１０（ｂ）は、径のより小さい管理対象物に取り付けられたホルダの正面図を示す。
【発明を実施するための形態】
【００１７】
以下、本発明に係るホルダにおける一実施形態について、図１〜図９を参照して説明する。
【００１８】
図１乃至図３に示すように、ホルダ１は、管理対象物に管理用のＩＣタグを取り付けるホルダ１であって、ＩＣタグ４を収容可能な凹部１１７を有するタグ収容部１０とタグ収容部１０の端縁のそれぞれから延出されて、管理対象物に巻き回しされた上で互いに連結される一対の延出部２０とを有する本体２と、凹部１１７の（開口１１３の）少なくとも一部を閉塞可能な閉塞部３０１を有する蓋体３とを備える。なお、本実施形態において、ＩＣタグは、タグ収容部１０に収容可能なように、シート状かつ長尺状に形成される、
【００１９】
図４及び図５に示すように、タグ収容部１０は、管理対象物に取り付けられたときに管理対象物の表面に対向する第１側壁部１０２と、管理対象物の表面に対向し、第１側壁部１０２と共同して凹部１１７を画定する第２側壁部１０１とを有する。また、タグ収容部１０は、第１側壁部１０２及び第２側壁部１０１の一端縁に接続され、開口面１１３に対向する底部１１１を有する。
【００２０】
タグ収容部１０は、全体として、弾性変形可能な材料で構成され、例えば合成樹脂で構成される。本実施形態において、第１側壁部１０２及び第２側壁部１０１は、同じ曲率中心でそれぞれ湾曲して形成される。特に、本実施形態において、第１側壁部１０２及び第２側壁部１０１は、同じ曲率中心で円弧状に形成される。
【００２１】
第１側壁部１０２は、周方向両端で一対の延出部２０のそれぞれに接続される。第１側壁部１０２は、第２側壁部１０１との間でＩＣタグを保持可能な内壁部１０７と、蓋体３の一部を嵌入可能な第２嵌合部１０３，１０４とを有する。本実施形態において、第１側壁部１０２は、一対の延出部２０のそれぞれから周方向両端を引っ張られることで、変形可能に構成される。また、第１側壁部１０２は、管理対象物に巻き付けられて、管理対象物の表面に当接することで変形する。
【００２２】
内壁部１０７は、第２側壁部１０１の一方の面に対向して形成され、第２側壁部１０１と同じ曲率中心での円弧状に形成される。内壁部１０７は、周方向に沿う端縁の一方で、底部１１１に接続される。そして、内壁部１０７は、周方向に沿う端縁の他方で、第１嵌合部１０５に接続される。また、内壁部１０７は、周方向の両端で、一対の延出部２０のそれぞれに接続される。
【００２３】
内壁部１０７は、その外周面と、第２側壁部１０１の内周面との間の凹部１１７にＩＣタグを収容可能になっている。内壁部１０７は、凹部１１７に収容したＩＣタグを保持可能にすべく、外周面から第２側壁部１０１の内周面に向かう方向に突出する第１突片１１０を有する。
【００２４】
第１突片１１０は、内壁部１０７の外周面から径外方向に突出して帯板状に形成される。第１突片１１０は、内壁部１０７の外周面周方向の複数個所に設けられ、突出方向先端と第２側壁部１０１との間でＩＣタグを保持可能に構成される。
【００２５】
第１嵌合部１０５は、内壁部１０７の周方向に沿う端縁の他方に接続されて、内壁部１０７の内径方向に伸びる座面１１４と、座面１１４の内壁部１０７との接続位置から開口方向に突出する爪部１０８，１０９と、管理対象物に当接される外壁部１０６とを有する。
【００２６】
座面１１４は、平面視扇状で帯板状に形成される。座面１１４は、内径方向の端縁で開口面１１３に向けて突出する第１突起部１１５を有する。本実施形態において、座面１１４は、内壁部１０７の周方向に沿う端縁の他方で内壁部１０７の内径方向に屈曲されて形成される。
【００２７】
第１突起部１１５は、座面１１４の内径方向端縁に沿って開口面１１３に向けて突出して形成される。第１突起部１１５は、爪部１０８，１０９よりも低い高さで座面１１４から突出する。そして、第１突起部１１５は、座面１１４から開口面１１３までの高さよりも低い高さで座面１１４から突出する。また、第１突起部１１５は、座面１１４の内径方向端縁に沿って連続して形成される。
【００２８】
爪部１０８，１０９は、座面１１４から開口方向に向けて突出して形成される。爪部１０８，１０９は、座面１１４から開口面１１３までの高さよりも低い高さで突出する。爪部１０８，１０９は、蓋体３の一方の面に係合可能に構成される。
【００２９】
外壁部１０６は、内壁部１０７と同心円で円弧状に形成される。外壁部１０６は、周方向両端で、座面１１４に接続される。そして、外壁部１０６は、周方向中途部で、第１突起部１１５の先端に接続される。外壁部１０６は、座面１１４の内周側端縁より内径側に設けられ、内周面側で管理対象物に当接する。外壁部１０６は、外周面から第１側壁部１０２に向けて突出する第２突起部１１６を有する。
【００３０】
第２突起部１１６は、外壁部１０６の周方向に沿う端縁のうち、座面１１４から遠い端縁から第１側壁部１０２に向けて突出する。第２突起部１１６は、外壁部１０６の周方向に沿う端縁のうち、開口面１１３に沿う端縁に沿って連続して形成される。
【００３１】
第２側壁部１０１は、周方向両端で一対の延出部２０のそれぞれに接続される。本実施形態において、第２側壁部１０１は、一対の延出部２０それぞれの管理対象物への巻き回しにより周方向両端を引っ張られることで、変形可能に構成される。第２側壁部１０１は、周方向中途部に蓋体３の一部を嵌入可能な第２嵌合部１０３，１０４を有する。また、第２側壁部１０１は、第２側壁部１０１の内壁部１０７に対抗する面、すなわち第２側壁部１０１の内周面から内壁部１０７の外周面に向かう方向に突出する第２突片１１２を有する。
【００３２】
第２嵌合部１０３，１０４は、第２側壁部１０１の径方向に貫通する貫通孔として形成される。すなわち、第２嵌合部１０３，１０４は、第２側壁部１０１の内周面から外周面に貫通する貫通孔として形成される。本実施形態において、第２嵌合部１０３，１０４は、貫通方向断面で方形状の貫通孔として形成される。
【００３３】
第２突片１１２は、第２側壁部１０１の径内方向に突出して帯板状に形成される。第２突片１１２は、第２側壁部１０１内周面の周方向複数個所に設けられ、突出方向先端と第１突片１１０の先端との間でＩＣタグを保持可能に構成される。本実施形態において、第２突片１１２は、第１突片１１０の突出位置に対して、第２側壁部１０１の内周面の周方向で重ならない位置から突出する。すなわち、第２突片１１２は、第１突片１１０の突出方向先端と第２側壁部１０１の径方向で対向しない位置から突出する。第１突片１１０及び第２突片１１２は、互い違いにＩＣタグの表裏にそれぞれ当接する。第１側壁部１０２及び第２側壁部１０１が変形した際には、第１突片１１０及び第２突片１１２は、より強固にＩＣタグを保持可能となる。
【００３４】
底部１１１は、第１側壁部１０２の周方向に沿う他端縁と、内壁部１０７の周方向に沿う他端縁とを接続して設けられる。これにより、底部１１１は、第１側壁部１０２の周方向に沿う他端縁と内壁部１０７の周方向に沿う他端縁との間を閉塞する。
【００３５】
図６乃至８に示すように、蓋体３は、平面視扇状に形成される。蓋体３は、内周側端縁から径内方向に突出する第１突出部３０４，３０５と、外周側端縁から径外方向に突出する第２突出部３０２，３０３とを備える。
【００３６】
閉塞部３０１は、開口面１１３の少なくとも一部を閉塞すべく設けられ、平面視扇状で帯板状に形成される。閉塞部３０１は、開口の少なくとも一部を閉塞している状態で、タグ収容部１０の内部を視認できる窓部３０６を有する。
【００３７】
窓部３０６は、閉塞部３０１の円弧方向に沿って形成される。窓部３０６は、閉塞部３０１の厚さ方向に貫通して設けられる。窓部３０６は、第１側壁部１０２及び第２側壁部１０１の変形により、閉塞部３０１の端縁に力が加えられたとしても、閉塞部３０１の変形を吸収して蓋部３のタグ収容部１０からの脱落を防止する。すなわち、窓部３０６は、第１突出部３０４，３０５及び第１嵌合部１０５の嵌合と、第２突出部３０２，３０３及び第２嵌合部１０３，１０４の嵌合との解除を防止すべく設けられる。そして、窓部３０６は、凹部１１７の水はけを良くすべく設けられる。また、窓部３０６は、ＩＣタグ４に管理番号が示されている場合に、管理番号を外部から視認可能にすべく設けられる。
【００３８】
第１突出部３０４，３０５は、第１突起部１１５及び第２突起部１１６の間の距離と同じ厚さで形成される。これにより、第１突出部３０４，３０５は、第１突起部１１５及び第２突起部１１６の間に嵌合可能に構成される。
【００３９】
第２突出部３０２，３０３は、第２嵌合部１０３，１０４の貫通孔の幅と同じ厚さで突出する。また、第２突出部３０２，３０３は、第２嵌合部１０３，１０４の貫通孔の長さに嵌合可能な円弧方向の長さで形成される。
【００４０】
本実施形態に係るホルダ１の構成については以上の通りであり、次に、本実施形態に係るホルダ１の作用について説明する。
【００４１】
図９に示すように、ホルダ１が管理対象物に取り付けられる前に、帯板状のＩＣタグ４が、開口面１１３から、第１側壁部１０２及び第２側壁部１０１で画定される凹部１１７に収容される。第１側壁部１０２の第１突片１１０及び内壁部１０７の第２突片１１２は、ＩＣタグ４を表裏から挟み込むことによりタグ収容部１０内に保持する。
【００４２】
タグ収容部１０がＩＣタグ４を収容した後、蓋体３が開口面１１３の少なくとも一部を閉塞する。より具体的に、蓋体３の第１突出部３０４，３０５は、第１嵌合部１０５に嵌合される。また、蓋体３の第２突出部３０２，３０３は、第２嵌合部１０３，１０４に嵌合される。より具体的に、蓋体３の第２突片１１２は、第１突起部１１５と第２突起部１１６との間に嵌入される。そして、窓部３０６の端縁は、爪部１０８，１０９に係合される。これにより、蓋体３は、第１突起部１１５、第２突起部１１６、爪部１０８，１０９、及び第２嵌合部１０３，１０４にそれぞれ当接し、凹部１１７に取り付けられて開口の少なくとも一部を閉塞する。
【００４３】
その後、ホルダ１は、管理対象物に取り付けられる。具体的に、一対の延出部２０のそれぞれは、管理対象物に巻き回しされて、互いに連結されることで、タグ収容部１０を管理対象物に取り付ける。このとき、第１側壁部１０２及び第２側壁部１０１は、一対の延出部２０のそれぞれの引っ張りにより、それぞれ変形する。第２側壁部１０１は、第１側壁部１０２よりもより径が大きいことから、第１側壁部１０２よりもより大きく変形する。また、第２側壁部１０２は、第１側壁部１０１及の管理対象物への接触位置を支点として、一対の延出部２０のそれぞれに両端を引っ張られる。これにより、第２側壁部１０２は、第１側壁部１０１よりもより大きく変形する。したがって、第２側壁部１０１は、第１側壁部１０２に近づく方向に変形する。さらに、第１側壁部１０２は、管理対象物に当接することで、第２側壁部１０１に近づく方向に変形する。
【００４４】
これにより、蓋体３は、第１側壁部１０２及び第２側壁部１０１の両方から、その周方向に沿う端縁の両端を押される。したがって、第１側壁部１０２、第２側壁部１０１、及び蓋体３の干渉度合いが強くなる。これにより、第１突出部３０４，３０５及び第１嵌合部１０５と、第２突出部３０２，３０３及び第２嵌合部１０３，１０４とは、抜けにくくなり、嵌合が解除されにくくなる。そのため、ホルダ１が管理対象物に取り付けられた状態で、蓋体３がタグ収容部１０から取り外されることをよりよく防止することができる。
【００４５】
一方で、ホルダ１が管理対象物に取り付けられていない状態（管理対象物から取り外された状態）で、蓋体３は、第１嵌合部１０５、爪部１０８，１０９、及び第２嵌合部１０３，１０４に嵌合又は係合されているだけである。したがって、第１嵌合部１０５及び第１突出部３０４，３０５の嵌合の解除、爪部１０８，１０９の係合の解除、及び第２嵌合部１０３，１０４及び第２突出部３０２，３０３の嵌合の解除がされることで、蓋体３は、タグ収容部１０から取り外される。これにより、タグ収容部１０の開口の閉塞が解除され、ＩＣタグ４をタグ収容部１０から取り外して交換することができる。
【００４６】
以上より、本実施形態に係るホルダ１は、管理対象物に管理用のＩＣタグ４を取り付けるホルダ１であって、ＩＣタグ４を収容可能な凹部１１７を有するタグ収容部１０とタグ収容部１０の端縁のそれぞれから延出されて、管理対象物の周方向に巻き回しされた上で互いに連結される一対の延出部２０とを有する本体２と、凹部１１７の少なくとも一部を閉塞可能な閉塞部３０１を有する蓋体３とを備え、タグ収容部１０は、管理対象物に取り付けられたときに管理対象物の表面に対向する第１側壁部１０２と、第１側壁部１０２と間隔を開けて第１側壁部の表面に対向し、第１側壁部１０２と共同して凹部１１７を画定する第２側壁部１０１とを有し、第１側壁部１０２及び第１側壁部１０２に対向する閉塞部３０１の端縁のいずれか一方は、他方に向けて突出する第１突出部３０４，３０５を有し、他方は、第１突出部３０４，３０５を嵌合可能な第１嵌合部１０５を有し、第２側壁部１０１及び第２側壁部１０１に当接する閉塞部３０１の端縁のいずれか一方は、他方に向けて突出する第２突出部３０２，３０３を有し、他方は第２突出部３０２，３０３を嵌合可能な第２嵌合部１０３，１０４を有し、第１側壁部１０２及び第２側壁部１０１の少なくとも一方は、変形可能に構成される。
【００４７】
かかる構成によれば、タグ収容部１０は、凹部１１７から管理対象物の管理用のＩＣタグ４を収容する。蓋体３は、タグ収容部１０からのＩＣタグ４の脱落、又は不正な取り外し等を防止すべく、凹部１１７の開口に取り付けられる。このとき、第１側壁部１０２に当接する蓋体３の端縁又は第１側壁部１０２の一方に設けられた第１突出部３０４，３０５と、他方に設けられた第２嵌合部１０３，１０４とが嵌合する。また、第２側壁部１０１に当接する蓋体３の端縁又は第２側壁部１０１の一方に設けられた第１突出部３０４，３０５と、他方に設けられた第２嵌合部１０３，１０４とが嵌合する。これにより、蓋体３は、第１側壁部１０２及び第２側壁部１０１に連結された状態、すなわち、タグ収容部１０の開口の少なくとも一部を閉塞する状態に維持される。
【００４８】
一対の延出部２０のそれぞれは、管理対象物に巻き回しされて互いに連結されることで、ＩＣタグ４を収容したタグ収容部１０を管理対象物に取り付ける。このとき、一対の延出部２０のそれぞれは、タグ収容部１０の端部を巻き回し方向に引っ張る。第１側壁部１０２及び第２側壁部１０１の少なくとも一方は、引っ張りに応じて変形する。第１側壁部１０２及び第２側壁部１０１の少なくとも一方が変形することで、タグ収容部１０及び蓋体３の干渉度合い（当り具合）が高まる。したがって、第１突出部３０４，３０５は、第１嵌合部１０５から抜けにくくなり、第１突出部３０４，３０５及び第１嵌合部１０５の嵌合は、解除されにくくなる。また、第２突出部３０２，３０３は、第２嵌合部１０３，１０４から抜けにくくなり、第２突出部３０２，３０３及び第２嵌合部１０３，１０４の嵌合は解除されにくくなる。これにより、管理対象物に取り付けられたホルダ１から、蓋体３が容易に取り外されることを防止することができる。ひいては、タグ収容部１０に収容されているＩＣタグ４が脱落、又は不正に取り外されることをより良く防止することができる。一方で、ホルダ１が管理対象部から取り外された状態において、第１突出部３０４，３０５及び第２嵌合部１０３，１０４による嵌合と、第２突出部３０２，３０３及び第２嵌合部１０３，１０４による嵌合とが解除されることで、蓋体３は、本体２から取り外される。これにより、タグ収容部１０からＩＣタグ４を取り外して交換することができる。また、タグ収容部１０及び蓋体３の溶接を必要としないことで、ホルダの製造コストを低減することができる。
【００４９】
また、本実施形態に係るホルダ１において第１側壁部１０２は、管理対象物に巻き付けられて、管理対象物の表面に当接することで変形する。
【００５０】
かかる構成によれば、一対の延出部２０のそれぞれが管理対象物に巻き回しされて互いに連結することで、第１側壁部１０２は、管理対象物の表面に当接することで変形する。第１側壁部１０２が変形することで、タグ収容部１０及び蓋体３の干渉度合い（当り具合）が高まる。これにより、第１突出部３０４，３０５は、第１嵌合部１０５から抜けにくくなり、第１突出部３０４，３０５及び第１嵌合部１０５の嵌合は、解除されにくくなる。また、第２突出部３０２，３０３は、第２嵌合部１０３，１０４から抜けにくくなり、第２突出部３０２，３０３及び第２嵌合部１０３，１０４の嵌合は解除されにくくなる。したがって、管理対象物に取り付けられたホルダ１から、蓋体３が容易に取はずされることをさらに防止することができる。ひいては、タグ収容部１０に収容されているＩＣタグ４が脱落、又は不正に取り外されることをより良く防止することができる。一方で、ホルダ１が管理対象物から取り外された状態では、蓋体３は、第１側壁部１０２及び第２側壁部１０１から取り外し可能となり、タグ収容部１０からＩＣタグ４を取り外して交換することができる。
【００５１】
また、本実施形態に係るホルダ１において、第１側壁部１０２及び第２側壁部１０１は、同じ曲率中心でそれぞれ湾曲して形成される。
【００５２】
かかる構成によれば、一対の延出部２０が管理対象物に巻き回しされて連結されると、第１側壁部１０２及び第２側壁部１０１は、同じ曲率中心でそれぞれ湾曲していることから、より湾曲する方向に変形する。第１側壁部１０２及び第２側壁部１０１が変形することで、タグ収容部１０及び蓋体３の干渉度合い（当り具合）が高まる。これにより、第１突出部３０４，３０５は、第１嵌合部１０５から抜けにくくなり、第１突出部３０４，３０５及び第１嵌合部１０５の嵌合は、解除されにくくなる。また、第２突出部３０２，３０３は、第２嵌合部１０３，１０４から抜けにくくなり、第２突出部３０２，３０３及び第２嵌合部１０３，１０４の嵌合は解除されにくくなる。したがって、管理対象物に取り付けられたホルダ１から、蓋体３が容易に取り外されることをさらに防止することができる。ひいては、タグ収容部１０に収容されているＩＣタグ４が脱落、又は不正に取り外されることをより良く防止することができる。一方で、ホルダ１が管理対象物から取り外された状態では、蓋体３は、第１側壁部１０２及び第２側壁部１０１から取り外し可能となり、タグ収容部１０からＩＣタグ４を取り外して交換することができる。
【００５３】
次に、本発明に係るホルダにおける参考例について、図１〜図１０を参照して説明する。
【００５４】
参考例に係るホルダ１は、従来のホルダ１から、一対の延出部２０による管理対象物への取付部分を改良したものである。従来のホルダ１では、一例として、一対の延出部２０が、結束バンドを利用して連結されていた。これにより、従来のホルダ１は、管理対象物に取り付けられていた。しかしながら、結束バンドが経年劣化により切れることがあり、ホルダ１は、管理対象物から脱落してしまうことがあった。
【００５５】
他の例として（例えば、特許文献１参照）、ボルト及びナットを利用して連結するホルダ１も知られているが、一対の延出部２０を管理対象物に巻きまわした状態を手で押さえる等して維持しつつ、ボルト及びナットを締結する必要があるので、作業性が悪かった。また、特許文献１のように、一重で管理対象物に巻き回しされるホルダが結束バンドにより連結される際に、管理対象物の表面と延出部２０との間に結束バンド６を廻しこむ必要がある場合がある。そのため、ホルダ１を十分に管理対象物に当接させることができないだけでなく、作業性が悪いことがあった。そこで、参考例では、一対の延出部２０を管理対象物に巻きまわした状態で仮止可能なホルダ１を提供する。
【００５６】
参考例に係るホルダ１は、一対の延出部２０について改良したものであり、その余の部分は、上記実施例と同様であるので、本参考例において説明しない。
【００５７】
一対の延出部２０は、互いに管理対象物に巻き回しされた状態で、先端側の一部が重なりあって連結される。以下、一対の延出部２０のそれぞれについて、管理対象物の表面に対向する面を内面、内面に反対の面を外面として説明する。また、一対の延出部２０の一方を第１延出部２２０、他方を第２延出部２１０として説明する。
【００５８】
第１延出部２２０は、外面で、第２延出部２１０に連結される。第１延出部２２０は、延出方向中途部から、先端に渡って、内面に湾曲する円弧状に形成される。第１延出部２２０は、タグ収容部１０の一端から延出される延出本体部２２１と、延出本体部２２１の中途位置において外面に並設され、第１延出部２２０に沿って、延出本体部２２１と同心円状に形成される並設部２２１とを有する。
【００５９】
延出本体部２２１は、円弧部分の内面で管理対象物の表面に当接する。延出本体部２２１は、タグ収容部１０との接続部分において、内面側に湾曲可能に構成される。
【００６０】
並設部２２１は、延出本体部２２１の外面で重なる位置で、延出本体部２２１の外面から離間して空隙２２４を形成するように並設される。並設部２２１は、外面で、その並設方向に沿って形成される第１噛合部２１１と、並設部２２１の先端側で、第２延出部２１０との重なり位置を調整可能な位置調整部２２３とを有する。
【００６１】
第１噛合部２１１は、並設部２２１の並設方向に沿って設けられる連続した複数の突部で形成される。より詳しくは、並設部２２１の並設方向に交差する方向（本実施形態においては、直交する方向）に長い複数の突部で形成される。
【００６２】
位置調整部２２３は、円弧方向に沿う端縁の両端で、外周側から突出して一対に形成される。一対の位置調整部２２３のそれぞれは、第２延出部２１０の円弧方向に沿う両端の端縁に当接することで、第１延出部２２０及び第２延出部２１０の重なり位置を調整する。
【００６３】
第２延出部２１０は、第１延出部２２０と同様に、延出方向中途部から、先端に渡って、内面側に湾曲する円弧状に形成される。また、第２延出部２１０は、延出本体部２２１と同様に、タグ収容部１０との接続部分において、内面側に湾曲可能に構成される。そして、第２延出部２１０は、円弧部分において、並設部２２１の外面に係合可能に構成される。第２延出部２１０は、外面に突出する一対の保護部２１２，２１３と、内面に突出して、並設部２２１に係合する係合部２１５と、外面で延出方向に沿って形成される第２噛合部２２２とを有する。
【００６４】
保護部２１２，２１３は、第２延出部２１０の先端側に形成され、第２噛合部２２２が形成される位置の外面に形成される。保護部２１２，２１３は、第２延出部２１０の外面から突出して一対に形成される。一対の保護部２１２，２１３のそれぞれは、第２延出部２１０の円弧方向に離間して形成され、より詳しくは、第２噛合部２２２の円弧方向の長さよりも短い距離で離間して形成される。
【００６５】
係合部２１５は、第２延出部２１０の延出方向に沿う一方の端縁から内面に突出して形成される。係合部２１５の先端は、第２延出部２１０の延出方向に沿う一方の端縁から他方の端縁に向かう方向と同方向に屈曲して形成される。係合部２１５の先端の屈曲位置は、第２延出部２１０の内面から、並設部２２１を係合可能な距離だけ離れた位置に設けられる。
【００６６】
第２噛合部２２２は、第１延出部２２０の先端側内面に形成される。第２噛合部２２２は、第２延出部２１０の延出方向に沿って設けられる連続した複数の突部で形成される。より詳しくは、第２噛合部２２２は、第２延出部２１０の延出方向に交差する方向（本実施形態においては直交する方向）に長い複数の突部で形成される。第２噛合部２２２は、第１噛合部２１１に噛み合わされることで、ホルダ１を管理対象物に仮止め可能に構成される。
【００６７】
参考例に係るホルダ１の構成は以上の通りであり、次に、本実施形態に係るホルダ１の作用について説明する。
【００６８】
まず、ホルダ１を管理対象物に取り付けるに際し、第１延出部２２０及び第２延出部２１０のそれぞれが、管理対象物に巻き回しされる。このとき、図１０（ａ）及び図１０（ｂ）に示すように、第１延出部２２０及び第２延出部２１０のそれぞれは、例えば、管理対象物であるガスボンベの径に合わせて、タグ収容部１０との接続位置で湾曲する。これにより、ホルダ１は、種々の径の管理対象物に取り付け可能となる。
【００６９】
そして、第２延出部２１０の内面は、第１延出部２２０の外面に当接される。より詳しくは、位置調整部２２３が、第２延出部２１０の円弧方向に沿う両端縁に当接することで、第１延出部２２０及び第２延出部２１０の重なり位置を調整する。
【００７０】
そして、第１延出部２２０及び第２延出部２１０が管理対象物の周に十分に巻き回しされると、係合部２１５は、並設部２２１の内面に係合される。より詳しくは、係合部２１５の屈曲された先端が、延出本体部２２１と並設部２２１との間の空隙２２４に入れられることで、係合部２１５は、屈曲された先端と第２延出部２１０の内面とで並設部２２１を挟持する。このとき、第２噛合部２２２は、第１噛合部２１１に噛み合わされる。
【００７１】
位置調整部２２３及び係合部２１５が、第１延出部２２０及び第２延出部２１０の重なり位置を調整するとともに、第１噛合部２１１及び第２噛合部２２２が、第１延出部２２０及び第２延出部２１０の連結位置を決定することで、第１延出部２２０及び第２延出部２１０は、連結された状態に維持される。すなわち、第１延出部２２０及び第２延出部２１０は、管理対象物に巻き回しされた状態で、仮止めされた状態になる。この状態で、一対の保護部２１２，２１３の間の第２延出部２１０と並設部２２１とが結束バンド６により結束されることで、ホルダ１は、管理対象物に取り付けられる。
【００７２】
以上のように、参考例に係るホルダ１によれば、保護部２１２，２１３が、結束された結束バンド６を保護されることで、径年劣化や他の物との接触による切断から結束バンド６を保護することができる。また、位置調整部２２３及び係合部２１５が第１延出部２２０及び第２延出部２１０の重なり位置を調整するとともに、第１噛合部２１１及び第２噛合部２２２が係合することで、ホルダ１を管理対象物に仮固定することができる。これにより、結束バンド６を利用した本固定の作業性をより良くすることができる。また、特許文献１のように、延出部が一重で管理対象物に巻き回しされるのに対して、並設部２２１が設けられて、並設部２２１と延出本体部２２１との間に空隙２２４が形成されることで、結束バンド６で一対の延出部２０を容易に本固定することができる。これにより、より作業性を良くすることができる。
【００７３】
さらには、結束バンド６の切断によりホルダ１の本固定が解除されたとしても、ホルダ１は、管理対象物に仮固定された状態で取り付けれた状態に維持される。これにより、結束バンド６が切断されたとしても、ホルダ１の脱落を防止でき、ひいてはホルダ１の紛失を防止できる。
【００７４】
なお、本発明に係るホルダ１は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００７５】
例えば、本実施形態に係るホルダ１おいて、蓋体３が第１突出部３０４，３０５及び第２突出部３０２，３０３を有し、タグ収容部１０が第１嵌合部１０５及び第２嵌合部１０３，１０４を有する構成で説明した。一方で、第１側壁部１０２及び第１側壁部１０２に対向する閉塞部３０１の端縁のいずれか一方は、他方に向けて突出する第１突出部３０４，３０５を有し、他方は、第１突出部３０４，３０５を嵌合可能な第１嵌合部１０５を有し、第２側壁部１０１及び第２側壁部１０１に当接する閉塞部３０１の端縁のいずれか一方は、他方に向けて突出する第２突出部３０２，３０３を有し、他方は第２突出部３０２，３０３を嵌合可能な第２嵌合部１０３，１０４を有してもよい。例えば、蓋体３が第１嵌合部１０５及び第２嵌合部１０３，１０４を有し、タグ収容部１０が第１突出部３０４，３０５及び第２突出部３０２，３０３を有する構成であってもよい
【００７６】
また、本実施形態に係るホルダ１において、第１嵌合部１０５、第２嵌合部１０３，１０４、第１突片１１０、及び第２突片１１２は、それぞれ２箇所で嵌合されるように説明したが、１箇所又は、３以上の箇所で嵌合するように構成されてもよい。
【００７７】
また、上記実施形態に係るホルダ１においては、第１側壁部１０２及び第２側壁部１０１の双方が変形可能である構成で説明したが、第１側壁部１０２及び第２側壁部１０１のいずれか一方が変形可能な構成であってもよい。このような構成であっても、タグ収容部１０に蓋体３をより強固に取り付けることができる。なお、第１側壁部１０２が変形可能であるときに、第１側壁部１０２は、管理対象物の表面から応力を受けることで変形する。
【００７８】
また、上記実施形態に係るホルダ１において、蓋体３は、開口面１１３の一部を閉塞する構成としたが、開口面１１３の全体を閉塞する構成であってもよい。
【００７９】
また、上記実施形態に係るホルダ１において、ＩＣタグ４をタグ収容部１０から取り外し可能な構成としたが、タグ収容部１０は、ＩＣタグ４を取り外し不可能な構成としてもよい。これにより、ＩＣタグ４を交換する際には、ホルダ１ごと交換する必要があるが、製造コストを低減できるので、交換コストを低減することができる。
【００８０】
また、上記参考例に係るホルダ１において、結束バンド６を用いて本固定するとしたが、結束バンド６を用いずに本固定する構成としてもよい。例えば、係合部２１５を第２延出部２１０の円弧方向に沿う両端縁から内面に突出するように一対に形成し、一対の係合部２１５の先端を対向する方向に屈曲する構成としてもよい。これにより、係合部２１５が並設部２２１に係合することで、結束バンド６を用いずに第１延出部２２０及び第２延出部２１０を連結することができる。
【符号の説明】
【００８１】
１…ホルダ、２…本体、３…蓋体、４…ＩＣタグ、６…結束バンド、１０…タグ収容部、２０…延出部、１０１…第２側壁部、１０２…第１側壁部、１０３，１０４…第２嵌合部、１０５…第１嵌合部、１０６…外壁部、１０７…内壁部、１０８，１０９…爪部、１１０…第１突片、１１１…底部、１１２…第２突片、１１３…開口面、１１４…座面、１１５…第１突起部、１１６…第２突起部、１１７…凹部、２１０…第２延出部、２２０…第２延出部、２１１…第１噛合部、２１２，２１３…保護部、２１５…係合部、２２１…並設部、２２２…第２噛合部、２２３…位置調整部、２２４…空隙、３０１…閉塞部、３０２，３０３…第２突出部、３０４，３０５…第１突出部、３０６…窓部
【図１】
2014119885.tif 000003
【図２】
2014119885.tif 000004
【図３】
2014119885.tif 000005
【図４】
2014119885.tif 000006
【図５】
2014119885.tif 000007
【図６】
2014119885.tif 000008
【図７】
2014119885.tif 000009
【図８】
2014119885.tif 000010
【図９】
2014119885.tif 000011
【図１０】
2014119885.tif 000012